(57)【要約】      （修正有）【課題】短時間で容易に掛け布団カバー内に掛け布団を収容して保持することができ、掛け布団カバー内に収容された掛け布団が、就寝中の寝返りや蹴飛ばし等により、掛け布団カバー内の一箇所に片寄ってしまう、ということが無く、構造が簡単で製造も容易な掛け布団カバーを提供する。【解決手段】略同一形状で矩形状の、上布地１と中間布地２と下布地３を、上布地１、中間布地２、下布地３の順に重ね合わせて形成する矩形状の掛け布団カバーであって、中間布地２は中央部に開口部２ａが形成され、該開口部２ａは開口が窄むように付勢され、上布地１の周縁と中間布地２の周縁を全周にわたって縫着し、中間布地２と下布地３は、対向する短辺部と一の長辺部を縫着し、中間布地２と下布地３の前記長辺部と対向する他の長辺部に開閉自在の掛け布団出し入れ部４を形成したことを特徴とする掛け布団カバーである。【選択図】図１
2020010914.tif 000002
【特許請求の範囲】
【請求項１】
略同一形状で矩形状の、上布地と中間布地と下布地を、上布地、中間布地、下布地の順に重ね合わせて形成する矩形状の掛け布団カバーであって、
中間布地は中央部に開口部が形成され、該開口部は開口が窄むように付勢され、
上布地の周縁と中間布地の周縁を全周にわたって縫着し、
中間布地と下布地は、対向する短辺部と一の長辺部を縫着し、
中間布地と下布地の前記長辺部と対向する他の長辺部に開閉自在の掛け布団出し入れ部を形成したことを特徴とする掛け布団カバー。
【請求項２】
中間布地は、メッシュ状の織物地又は編み物地から成ることを特徴とする請求項１記載の掛け布団カバー。
【請求項３】
前記開口部の縁部に伸縮性を有する帯体を設けることにより、開口部は開口が窄むように付勢されていることを特徴とする請求項１又は請求項２記載の掛け布団カバー。
【請求項４】
前記帯体は編み物地から成ることを特徴とする請求項１乃至請求項３のいずれかに記載の掛け布団カバー。
【発明の詳細な説明】
【技術分野】
【０００１】
本発明は、掛け布団カバーに関するものであり、詳しくは、当初、矩形状で袋状の掛け布団カバーの内側の四隅と、掛け布団の外側の四隅がほぼ一致するように、掛け布団カバー内に収容されていた掛け布団が、就寝中の寝返りや蹴飛ばし等により掛け布団カバー内で徐々に移動して、ついには掛け布団カバー内の一箇所に片寄ってしまうこと等を防止する掛け布団カバーに関する。
【背景技術】
【０００２】
従来、内部に収容された布団が片寄らないようにし、また該布団の収容作業を容易にする布団カバーとして、布団を内部に収容するための開口を有する袋体に表布と裏布を縫い合わせるとともに、布団に結び付けるための結び紐を内部に設けた布団カバーにおいて、上記結び紐の近傍に袋体を連通するスリットを設けたことを特徴とする布団カバーが提案されている（特許文献１請求項１参照）。
【０００３】
しかしながら、上記布団カバーは、布団カバーと布団を周囲に設けられた多数の結び紐で結び付けなければならず、該結び付けは、結び紐が多数あることより煩雑であり、多くの手間と時間が掛かるという課題がある。また、該結び付けは簡単にはほどけないように固く結び付ける必要があり、そうすると布団カバーを洗濯する等のために布団より取り外す際に、容易には結び紐がほどけないという課題がある。
【０００４】
また、上記布団カバーは、袋体に表布と裏布を縫い合わせると共に、多数の結び紐を内部に設けなければならず、さらには結び紐の近傍に袋体を連通するスリットを設けなければならないため、製造に多くの手間と時間が掛かり、結局はコスト高になる場合がある、という課題がある。
【先行技術文献】
【特許文献】
【０００５】
【特許文献１】実用新案登録第３１９９８０６号公報
【発明の概要】
【発明が解決しようとする課題】
【０００６】
本発明が解決しようとする課題は、掛け布団を袋状の掛け布団カバー内に収容した後、該掛け布団と掛け布団カバーを結び紐で結び付ける必要が無く、このため短時間で容易に掛け布団カバー内に掛け布団を収容して掛け布団を掛け布団カバー内に保持することができ、また結び紐で結び付けられていないため、掛け布団カバーを掛け布団から容易に取り外すことができ、さらには、袋状の掛け布団カバー内に収容された掛け布団が、就寝中の寝返りや蹴飛ばし等により、徐々に移動してついには掛け布団カバー内の一箇所に片寄ってしまう、ということが無く、構造が簡単で製造も容易な掛け布団カバーを提供することにある。
【課題を解決するための手段】
【０００７】
請求項１記載の発明は、略同一形状で矩形状の、上布地と中間布地と下布地を、上布地、中間布地、下布地の順に重ね合わせて形成する矩形状の掛け布団カバーであって、
中間布地は中央部に開口部が形成され、該開口部は開口が窄むように付勢され、
上布地の周縁と中間布地の周縁を全周にわたって縫着し、
中間布地と下布地は、対向する短辺部と一の長辺部を縫着し、
中間布地と下布地の前記長辺部と対向する他の長辺部に開閉自在の掛け布団出し入れ部を形成したことを特徴とする掛け布団カバーを提供する。
【０００８】
また請求項２記載の発明は、中間布地は、メッシュ状の織物地又は編み物地から成ることを特徴とする請求項1記載の掛け布団カバーを提供する。
【０００９】
また請求項３記載の発明は、前記開口部の縁部に伸縮性を有する帯体を設けることにより、開口部は開口が窄むように付勢されていることを特徴とする請求項1又は請求項２記載の掛け布団カバーを提供する。
【００１０】
また請求項４記載の発明は、前記帯体は編み物地から成ることを特徴とする請求項１乃至請求項３のいずれかに記載の掛け布団カバーを提供する。
【発明の効果】
【００１１】
本発明の掛け布団カバーは、掛け布団出し入れ部を開けて中間布地と下布地の間に掛け布団を入れ込み、掛け布団の外側四隅及び周囲を中間布地と下布地で形成される袋の内側の四隅及び周囲と一致するように配置することで掛け布団全体が中間布地と下布地との間に確実に挟持された状態で保持され、収容される効果があり、この状態で掛け布団出し入れ部を閉じるとその挟持力はさらに強いものとなる効果がある。このような掛け布団の本発明の掛け布団カバー内への収容に係る作業は、従来のように結び紐等でお互いを結び付ける必要がないため、短時間で容易に行うことが出来るという効果がある。
【００１２】
また本発明の掛け布団カバー内に収容された掛け布団を取り出す際は、掛け布団出し入れ部を開けて、中間布地と下布地に挟まれている掛け布団を引き出すだけでよく、該作業は極めて簡単で短時間に行うことができ、掛け布団カバーを洗濯等する際に非常に便利であるという効果がある。
【００１３】
特に、中間布地の中央部に設けられた開口部は開口が窄むように付勢されているため、中間布地の周囲から開口部側に向かって張力が働き、該張力は中間布地と下布地に挟まれた掛け布団をより強く挟持する力と成って、結果として掛け布団を中間布地と下布地との間に強く挟持された状態で保持し、収容し、就寝中の寝返りや蹴飛ばし等によっては容易に掛け布団が本発明の掛け布団カバー内（正確には中間布地と下布地で形成される袋内）で移動することが無いという効果がある。従って結局は、本発明の掛け布団カバーによれば、従来のように掛け布団と掛け布団カバーを結び紐で結び付けなくても、就寝中の寝返りや蹴飛ばし等によって掛け布団が掛け布団カバー内の一箇所に片寄ることが無い、という効果がある。
【００１４】
また、請求項２記載の掛け布団カバーは、中間布地はメッシュ状の織物地又は編み物地から成るため、特に嵩高で膨らみの大きい羽毛等の掛け布団等では、羽毛等による膨らみが中間布地のメッシュ状の格子毎に形成されることになって、結果として中間布地が表面平滑な織物地等である場合と比べて、掛け布団に対する滑り抵抗が高くなり、より強く掛け布団を中間布地と下布地との間に挟持された状態で保持し、収容する効果がある。
【００１５】
また、中間布地がメッシュ状である請求項２記載の掛け布団カバーは、中間布地がメッシュ状ではない場合と比較して、掛け布団カバーの全体の重量が軽減されると共に、掛け布団カバー内の通気が良好となって掛け布団に湿気がこもることが無く、更には掛け布団カバーを洗濯したあと乾燥に要する時間が短くなる効果がある。
【００１６】
また請求項３記載の掛け布団カバーは、中間布地の開口部の縁部に伸縮性を有する帯体を設けているため、より確実に開口部は窄もうとする効果があり、これにより中間布地の周囲から開口部側に向かって強い張力が確実に働くことになる。該張力は上記のように、中間布地と下布地に挟持された掛け布団をより強く挟持することができる効果がある。
【００１７】
また請求項４記載の掛け布団カバーは、帯体が編み物地であるため、中間布地と縫着し易く、意匠的にも優れるという効果がある。
【図面の簡単な説明】
【００１８】
【図１】本発明に係る掛け布団カバーの全体斜視図である。
【図２】本発明に係る掛け布団カバーの分解斜視図である。
【図３】本発明に係る掛け布団カバーに羽毛製の掛け布団を収容する状態を示す状態斜視図である。
【図４】本発明に係る掛け布団カバーに羽毛製の掛け布団を収容した状態を示す全体斜視図である。
【図５】本発明に係る掛け布団カバーの中間布地の他の実施例を示し、該中間布地がメッシュ状の織物地であることを示す状態斜視図である。
【図６】本発明に係る掛け布団カバーの中間布地の他の実施例を示し、該中間布地の楕円形状の開口部の縁部に伸縮性を有する帯体が設けられていることを示す状態斜視図である。
【発明を実施するための形態】
【００１９】
次に本発明に係る掛け布団カバーを実施するための形態に関し、図１乃至図６に基づき詳細に説明する。
【実施例】
【００２０】
図１は、本発明の掛け布団カバー１０の全体斜視図であり、略同一形状で矩形状の、上布地１と中間布地２と下布地３が、上から上布地１、中間布地２、下布地３の順に重ねられ、上布地１と中間布地２はその周囲が全周にわたって互いに縫着されている。図１において太い一点鎖線が上布地１と中間布地２の縫着ラインを示しており、図２においては上布地１に示した太い一点鎖線が中間布地２と縫着されるラインを示している。
【００２１】
中間布地２の中央部には、本実施例では楕円形状の開口部２ａが形成され、該開口部２ａは例えばその全周の縁部にゴム紐等の弾性体を配設する等により、開口が窄むように付勢されている。ここで開口が窄むとは、開口が小さくなることをいう。具体的には開口部２ａの端部を袋縫いをして該袋の中にゴム紐等の伸縮性のある素材を張力を掛けた状態で通して固着する。
【００２２】
図１において細い一点鎖線で示しているのが該開口部２ａであり、放射状の細い点線は、中間布地２の開口部２ａが窄むように付勢されていることで、中間布地２の周囲から開口部２ａ側に向かって張力が働いていることを図示したものである。したがって開口部２ａが窄むように付勢されていれば、上記のように開口部２ａの全周の縁部にゴム紐等の弾性体を配設するという方法以外のどのような方法を用いても良い。また本実施例では開口部２ａは楕円形状に形成されているが、円形状や多角形状等の他の形状であっても良いのは勿論である。
【００２３】
中間布地２と下布地３は、対向する中間布地２の短辺部２ｂと下布地３の短辺部３ｂ、及び中間布地２の一の長辺部２ｃと下布地３の一の長辺部３ｃが縫着され、図２においては下布地３に示した太い一点鎖線が中間布地２と下布地３が縫着されるラインを示している。
【００２４】
中間布地２と下布地３の前記長辺部２ｃ、３ｃと対向する他の長辺部２ｄ、３ｄは縫着されずに開口されていて、開閉自在の掛け布団出し入れ部４を形成している。本実施例では開閉自在の手段としての例えばファスナー等の図示は省略しているが、閉じた状態を維持できるのであれば、ファスナー、ボタンによる掛け止め、面ファスナー等、どのような開閉自在に係る手段を用いても良い。
【００２５】
また、本実施例では掛け布団出し入れ部４は長辺部２ｄ、３ｄの全長にわたって開閉自在と成っているが、該長辺部２ｄ、３ｄの両端部から中央部に向かってそれぞれ全長の５〜２０％を縫着して、中央部のみを開閉自在に形成しても良い。この場合、図３に示すように掛け布団Ｋを本発明の掛け布団カバーに１０内に収容するには、まず掛け布団Ｋの出隅Ｋｃ、Ｋｄを掛け布団カバー１０の中間布地２と下布地３で形成される入隅２ｇ、２ｈに入れ込んで位置決めした後、掛け布団Ｋの出隅Ｋａ、Ｋｂを同入隅２ｅ、２ｆに入れ込むようにすれば、同入隅２ｇ、２ｈは三角形状のポケット状になっているため、しっかりと入れ込めて位置決めすることができ、掛け布団Ｋを掛け布団カバー１０に収容している際に、出隅Ｋａ、Ｋｂが入隅２ｅ、２ｆから簡単に外れたりズレたりすることが無く、長辺部２ｄ、３ｄが全長にわたって開閉自在と成っている場合よりも、容易にまた短時間で、掛け布団Ｋを本掛け布団カバー１０内に収容して、図４の状態にすることが出来る。
【００２６】
長辺部２ｄ、３ｄの両端部から中央部に向かっての縫着長さが５％未満になると、上記効果が不十分となり、同２０％超では、掛け布団Ｋの掛け布団出し入れ部４からの出し入れがしにくくなる場合がある。
【００２７】
図５は、中間布地２がメッシュ状の織物地Ｍである場合の一実施例を示し、中間布地２がメッシュ状であることにより、嵩高で膨らみの大きい羽毛等の掛け布団に対して、本発明の掛け布団はカバー１０が、より強く該掛け布団Ｋを中間布地２と下布地３との間に挟持して保持し収容する。
【００２８】
図６は、中間布地２の開口部２ａの縁部に伸縮性を有する帯体５が設けられた状態を示していて、該帯体５は編み物地Ａから成っていることを示している。開口部２ａに伸縮性を有する帯体５を設けることにより、確実に開口部２ａが窄むように付勢され、帯体５が編み物地Ａであることより、中間布地２と縫着し易く、意匠的にも優れる。
【符号の説明】
【００２９】
１  上布地
２  中間布地
２ａ  開口部
２ｂ  短辺部
２ｃ、２ｄ  長辺部
２ｅ、２ｆ、２ｇ、２ｈ  入隅
３  下布地
３ｂ  短辺部
３ｃ、３ｄ  長辺部
４  掛け布団出し入れ部
５  帯体
１０  掛け布団カバー
Ａ  編み物地
Ｍ  織物地
Ｋ  掛け布団
Ｋａ、Ｋｂ、Ｋｃ、Ｋｄ  出隅
【図１】
2020010914.tif 000003
【図２】
2020010914.tif 000004
【図３】
2020010914.tif 000005
【図４】
2020010914.tif 000006
【図５】
2020010914.tif 000007
【図６】
2020010914.tif 000008